(57)【要約】【課題】簡易な構成で蓄圧水を供給することができる便器洗浄装置を提供する。【解決手段】タンク６０，６８内に蓄圧水を貯留させるために、第２弁４０を開弁させ、水道水の一部をエゼクタ７０を介して主タンク６０に導入し、エゼクタ７０で吸引したエアーも水と共にタンクに溜める。次いで、第１弁３０も開弁させ、タンク６０，６８内に水を蓄圧状態で溜める。その後、リム給水弁２２を開弁する。これにより、リム３へ給水され、鉢部２の内面が洗浄される。次いで、第１弁３０を開とすると共に、ジェット給水弁２３を開弁する。これにより、主タンク６０及びサブタンク６８内の蓄圧水と給水ホース１１からの水とがジェットノズル５を介してトラップ部に噴出し、トラップ部にサイホンが迅速かつ強力に発生する。【選択図】図４
2008156937.tif 000002
【特許請求の範囲】
【請求項１】
洋風便器に給水元管からの水を供給するための洗浄弁と、
該給水元管から連通路を介して水道水が水道水圧によって導入されると共に、該連通路を介して該給水元管に対し蓄圧水を供給可能なタンクと、
該連通路に設けられた導入放水制御用の弁とを有する便器洗浄装置において、
該連通路に、水が該タンクに向って流れるときにエアーを吸引するエゼクタが設けられていることを特徴とする便器洗浄装置。
【請求項２】
請求項１において、前記連通路は、並列に設けられた第１連通路と第２連通路とを備えており、
前記導入放出制御用の弁として、該第１連通路に第１弁が設けられ、該第２連通路に第２弁が設けられており、
該第２連通路に前記エゼクタが設けられていることを特徴とする便器洗浄装置。
【請求項３】
請求項１又は２において、前記エゼクタのエアー吸引部に、水の流出を阻止するための逆止弁が設けられていることを特徴とする便器洗浄装置。
【請求項４】
請求項１ないし３のいずれか１項において、前記タンクに、該タンク内のエアーが前記便器側に流出することを阻止するエアー流出阻止手段が設けられていることを特徴とする便器洗浄装置。
【請求項５】
請求項４において、前記タンクの底部に水の給排口が設けられており、
前記エアー流出阻止手段は、
該給排口に設けられており、上方から浮子が着座可能な弁シート部と、
該貯水タンク内の水面に浮上している浮子と
を備えてなり、
該貯水タンク内の水位が所定以下になると該浮子が該弁シート部に着座して該給排口が閉鎖されることを特徴とする便器洗浄装置。
【請求項６】
請求項１ないし５のいずれか１項において、前記タンクは、前記連通路に連なる主タンクと、該主タンクの上部に連通するサブタンクとからなることを特徴とする便器洗浄装置。
【請求項７】
請求項２において、洋風便器の便器洗浄を開始するためのフラッシュスイッチと、該フラッシュスイッチの操作信号に基づいて前記第１弁及び第２弁並びに前記洗浄弁を制御する制御手段とが設けられており、
前記洋風便器は、トラップ内ヘ水を噴出するジェットノズルを備えており、前記洗浄弁として、洋風便器のリムに給水するリム給水弁と、該ジェットノズルに給水するジェットノズル給水弁とが設けられており、
該制御手段は、
該フラッシュスイッチが操作されると、該リム給水弁及びジェットノズル給水弁を閉弁させたまま該第１弁及び第２弁を所定時間開弁させ、エアー及び水道水を前記タンク内に流入させて蓄圧水を貯水する蓄圧工程と、
次に、前記第１弁及び第２弁を閉弁させ、リム給水弁を開弁させて水道水をリムに供給する鉢洗浄工程と、
その後、リム給水弁を閉弁させ、ジェットノズル給水弁を開弁させると共に、前記第１弁を開弁させ、前記タンク内の蓄圧水をジェットノズルに供給するジェット排水工程と、
その後、第１弁及びジェットノズル給水弁を閉弁させると共に、リム給水弁を開弁させる覆水工程と、
その後、リム給水弁を閉弁させる工程と、
を順次に実行するものであることを特徴とする便器洗浄装置。
【発明の詳細な説明】
【技術分野】
【０００１】
本発明は、洋風便器に洗浄水を供給する便器洗浄装置に係り、さらに詳しくは、ロータンクやハイタンクなどのタンクを設置せず、水道水の水圧によって洗浄水を洋風便器に供給する便器洗浄装置の改良に関する。
【背景技術】
【０００２】
従来用いられてきた洋風便器は、便器本体の後部上面にロータンクを設置し、該ロータンク内の水をリム等へ供給するロータンク式のものが多い。
【０００３】
このロータンク式洋風便器は、ロータンクの分だけ後方に出張るところから、近年、ロータンクを省略し、水道水圧によって洗浄水を給水することにより洋風便器の後方出張りを著しく小さくした洋風便器が急速に普及しつつある。この水道水圧による便器洗浄装置にあっては、便鉢内から汚物やペーパーを強力に排出するために、便器のトラップ部にジェット孔から水を噴出させてサイホン排出水流を形成するサイホンジェット式洗浄方式が採用されている。
【０００４】
ところで、水道水圧によって便器に給水する場合、水道水圧が低いと十分な水勢によって洗浄水を便器に供給することができない。この対策として、特開２００５−１２０７４２号及び特開２００６−１６９７６７号には、給水配管の途中に蓄圧タンクを接続し、ジェット動作中に蓄圧水を供給することが記載されている。
【０００５】
前者の特開２００５−１２０７４２号の蓄圧タンクは、タンク内にダイヤフラムと該ダイヤフラムを押圧するスプリングとを配置したものであり、部品点数が多くコスト高であった。
【０００６】
後者の特開２００６−１６９７６７号では、かかるダイヤフラム及びスプリングの代りに、エアーによってタンク内の水を加圧するようにエアーポンプを設置している。この場合も、エアーポンプの分だけコスト高である。
【０００７】
また、上記特開２００５−１２０７４２号公報の洋風便器設備にあっては、蓄圧タンク内が便器非使用時に常に蓄圧貯水状態となっているため、蓄圧タンクの要求強度が高くなる。
【特許文献１】特開２００５−１２０７４２号公報
【特許文献２】特開２００６−１６９７６７号公報
【発明の開示】
【発明が解決しようとする課題】
【０００８】
本発明は、上記の課題を解決し、簡易な構成で蓄圧水を供給することができる便器洗浄装置を提供することを目的とする。
【０００９】
本発明は、その一態様において、蓄圧タンクの必要強度を緩和することができる蓄圧装置を備えた便器洗浄装置を提供することを目的とする。
【課題を解決するための手段】
【００１０】
本発明（請求項１）の便器洗浄装置は、洋風便器に給水元管からの水を供給するための洗浄弁と、該給水元管から連通路を介して水道水が水道水圧によって導入されると共に、該連通路を介して該給水元管に対し蓄圧水を供給可能なタンクと、該連通路に設けられた導入放水制御用の弁とを有する便器洗浄装置において、該連通路に、水が該タンクに向って流れるときにエアーを吸引するエゼクタが設けられていることを特徴とするものである。
【００１１】
請求項２の便器洗浄装置は、請求項１において、前記連通路は、並列に設けられた第１連通路と第２連通路とを備えており、前記導入放出制御用の弁として、該第１連通路に第１弁が設けられ、該第２連通路に第２弁が設けられており、該第２連通路に前記エゼクタが設けられていることを特徴とするものである。
【００１２】
請求項３の便器洗浄装置は、請求項１又は２において、前記エゼクタのエアー吸引部に、水の流出を阻止するための逆止弁が設けられていることを特徴とするものである。
【００１３】
請求項４の便器洗浄装置は、請求項１ないし３のいずれか１項において、前記タンクに、該タンク内のエアーが前記便器側に流出することを阻止するエアー流出阻止手段が設けられていることを特徴とするものである。
【００１４】
請求項５の便器洗浄装置は、請求項４において、前記タンクの底部に水の給排口が設けられており、前記エアー流出阻止手段は、該給排口に設けられており、上方から浮子が着座可能な弁シート部と、該貯水タンク内の水面に浮上している浮子とを備えてなり、該貯水タンク内の水位が所定以下になると該浮子が該弁シート部に着座して該給排口が閉鎖されることを特徴とするものである。
【００１５】
請求項６の便器洗浄装置は、請求項１ないし５のいずれか１項において、前記タンクは、前記連通路に連なる主タンクと、該主タンクの上部に連通するサブタンクとからなることを特徴とするものである。
【００１６】
請求項７の便器洗浄装置は、請求項２において、洋風便器の便器洗浄を開始するためのフラッシュスイッチと、該フラッシュスイッチの操作信号に基づいて前記第１弁及び第２弁並びに前記洗浄弁を制御する制御手段とが設けられており、前記洋風便器は、トラップ内ヘ水を噴出するジェットノズルを備えており、前記洗浄弁として、洋風便器のリムに給水するリム給水弁と、該ジェットノズルに給水するジェットノズル給水弁とが設けられており、該制御手段は、該フラッシュスイッチが操作されると、該リム給水弁及びジェットノズル給水弁を閉弁させたまま該第１弁及び第２弁を所定時間開弁させ、エアー及び水道水を前記タンク内に流入させて蓄圧水を貯水する蓄圧工程と、次に、前記第１弁及び第２弁を閉弁させ、リム給水弁を開弁させて水道水をリムに供給する鉢洗浄工程と、その後、リム給水弁を閉弁させ、ジェットノズル給水弁を開弁させると共に、前記第１弁を開弁させ、前記タンク内の蓄圧水をジェットノズルに供給するジェット排水工程と、その後、第１弁及びジェットノズル給水弁を閉弁させると共に、リム給水弁を開弁させる覆水工程と、その後、リム給水弁を閉弁させる工程と、を順次に実行するものであることを特徴とするものである。
【発明の効果】
【００１７】
本発明（請求項１）の便器洗浄装置にあっては、蓄圧用タンクに水道水を導入するための連通路にエゼクタを設けており、該タンク内に水道水を流入させるときに、水と共にエアーが導入され、タンク内には、最大で水道水の静水圧となったエアーと水とが貯留される。このように構成が簡易で安価なエゼクタを採用し、エアーを該エゼクタによって導入して静水圧によって加圧するようにしているため、ダイヤフラムとスプリング、あるいはエアーポンプが不要であり、便器洗浄装置全体のコストダウンを図ることができる。
【００１８】
また、タンクに便器洗浄の直前に水道水をエゼクタを介して導入して貯水するようにすることができるので、便器非使用時にはタンク内を蓄圧貯水状態としないでおくことができる。これにより、蓄圧装置のタンクの必要強度を緩和することができる。
【００１９】
請求項２の便器洗浄装置にあっては、タンクから蓄圧水を流出させるときには、エゼクタが設けられていない第１連通路を通すことにより、圧力低下が少なく、圧力の高い水を供給することができる。
【００２０】
請求項３の便器洗浄装置にあっては、タンクから蓄圧水の圧力がエゼクタに加えられても、エゼクタ吸引部から水が外部へ流出することが防止される。
【００２１】
請求項４の便器洗浄装置にあっては、タンク内のエアーが便器側に流出することを阻止するエアー流出阻止手段が設けられているため、タンクから便器へ水を流出させるときに、タンク内のエアーまで便器側へ流出することがない。このため、タンク内にエアーを少量補給するだけでタンク内に十分な量のエアーを存在させることができる。また、タンクから便器へ水を流出させるときに、貯水タンク内のエアーが便器側へ流出して異音が発生することが防止される。
【００２２】
請求項５の便器洗浄装置にあっては、タンク内の水位が所定以下になると、浮子が水の給排口に設けられた弁座部に着座して該給排口を閉鎖するため、タンク内のエアーが便器側に流出することが確実に防止される。また、構造が簡易であるため、タンクの低コスト化も可能である。
【００２３】
請求項６の便器洗浄装置によると、タンクを２つのタンクで構成しているため、各タンクの容積が小さくなり、各タンクの配置の自由度が高くなる。
【００２４】
請求項７の便器洗浄装置にあっては、フラッシュスイッチが操作されると、タンク内に水を蓄圧状態で貯留させ、次いで便器の鉢洗浄を行ない、その後鉢内の汚水をジェット排水し、次いで鉢に覆水を行なうという一連の便器洗浄工程が自動的に行なわれる。なお、ジェット洗浄時に蓄圧水をジェットノズルに供給することにより、サイホンを迅速に起動させることができる。
【００２５】
この態様にあっては、フラッシュスイッチ動作の当初にタンクに蓄圧水を貯水させるようにしており、その前の状態（便器非使用時）ではタンク内に水を静水圧で貯水させることが不要となる。
【発明を実施するための最良の形態】
【００２６】
以下、図面を参照して実施の形態について説明する。
【００２７】
第１図は本発明の実施の形態に係る便器洗浄装置の斜視図、第２図は第１図の洋風便器の斜視図、第３図〜第６図は第１図の便器洗浄装置のフロー図、第７図はタイミングチャートである。
【００２８】
第１，２図の通り、陶器製の洋風便器１は、前部に鉢部２を備え、この鉢部２の上部内周にリム３が設けられている。このリム３へはリムノズル４を介して洗浄水が供給される。このリムノズル４は、洋風便器１の正面向って左側にのみ配置されており、所謂「片側給水方式」となっている。このリムノズル４から水がリム３に供給されることにより、鉢面には旋回流が形成される。
【００２９】
鉢部２のトラップ部には、該トラップ部にサイホン排出流を誘起するための水（ジェット水）を噴出するジェットノズル５が設けられている。このトラップ部は、鉢部２の底部から斜め上方に立ち上がる上昇部と、該上昇部に連なり、下方に立ち下がる立下部とを有しており、この立下部が排水管（図示略）に連なっている。このトラップ構造自体は周知のものである。
【００３０】
なお、この洋風便器１はフラッシュスイッチを操作することにより便器洗浄が開始されるよう構成されている。このフラッシュスイッチは、図示しないリモコンに設けられている。このリモコンからのフラッシュ信号が後述の各弁の制御手段に赤外線等によって与えられる。
【００３１】
洋風便器１の後部上面に便座ボックス６が設置されている。この便座ボックス６の後部は洋風便器１よりも若干後方に張り出し、その下側にアンダーケース７が連なっている。便座ボックス６に対し便座８及び便蓋９が起倒回動しうるように支持されている。
【００３２】
トイレルームの壁面には給水管の末端が突出しており、この給水管の末端に止水栓１０が取り付けられている。この止水栓１０は給水ホース１１及び逆止弁１１ａ（第３〜６図）を介して洋風便器１の後部に設置されたストレーナ１２に接続されている。この逆止弁１１ａは、便器１側から止水栓１０側への水の流出を阻止するものである。このストレーナ１２を通過した水は配管２４を介して弁ユニット２０へ供給されている。
【００３３】
この弁ユニット２０は、第３〜６図に示すリム給水弁２２及びジェット給水弁２３並びに第１弁３０及び第２弁４０を備えている。配管２４は末端側が２手に分岐しており、一方にリム給水弁２２が設けられ、他方にジェット給水弁２３が設けられている。
【００３４】
リム給水弁２２はリムノズル４へ水を供給し、ジェット給水弁２３はジェットノズル５へ水を供給する。リムノズル４に至る配管に調圧弁４ａ及びバキュームブレーカ４ｂが設けられている。ジェットノズル５に至る配管に調圧弁５ａ及びバキュームブレーカ５ｂが設けられている。これらリム給水弁２２、ジェット給水弁２３、第１弁３０及び第２弁４０は、電気配線を介して図示しない制御手段に接続されている。
【００３５】
配管２４の途中から分岐管２５が分岐している。この分岐管２５の末端は第１弁３０の水室３１に連通し、この水室３１は配管５０を介して第２弁４０の水室４１に連通している。
【００３６】
第１弁３０及び第２弁４０は、流出口３２，４２の周縁から突出する円筒状の弁座３３，４３と、該弁座３３，４３に着座する弁体３４，４４と、該弁体３４，４４を着座方向に押圧するバネ３８，４８と、該弁体３４，４４に対し着座方向に磁力を与えるためのソレノイド３５，４５とを有する。このソレノイド３５，４５に対し前記制御手段から通電が行なわれる。
【００３７】
この第１弁３０の流出口３２は、配管５１を介して主タンク６０の水給排口６１に連通している。第２弁４０の流出口はエゼクタ７０及び配管５２を介して該水給排口６１に連通している。
【００３８】
エゼクタ７０のスロート部（ノズル部）に連通する吸引部７１は、スロート部に向う方向にのみ流体の流通を許容する逆止弁７２を介して大気に連通している。このエゼクタ７０のノズル部の径は第２弁４０の弁座４３よりも径が小さくなっており、エゼクタ７０のノズル部に、水圧を低下させずに水を供給して空気を吸引するようにしている。また、第２弁４０の弁座４３は、第１弁３０の弁座３３よりも径が小さなものとなっている。
【００３９】
なお、配管５２の途中部分から水抜管７４が分岐し、この水抜管７４に水抜弁７３が設けられている。この水抜弁７３は、通常時は閉とされ、凍結防止等のために機器内部の水を抜く場合に開とされる。
【００４０】
配管５１，５２内の圧を所定圧以下とするために放圧用配管７５が分岐し、この放圧用配管７５にリリーフ弁７６が設けられている。この放圧用配管７５の末端は便鉢のリムに連通している。
【００４１】
この実施の形態では、蓄圧用のタンクは主タンク６０と、サブタンク６８とからなり、該主タンク６０の上部とサブタンク６８の下部とが配管６７で連通されている。
【００４２】
主タンク６０内には、該水給排口６１に周設された弁シート部６３と、該弁シート部６３を囲むパンチングメタルや金網などよりなる円筒状の浮子ガイド６５と、該ガイド６５内に上下動自在に配置された浮子６２とを有している。このガイド６５は、浮子６２を弁シート部６３に案内するためのものであり、筒軸方向を鉛直方向にして配置されている。
【００４３】
主タンク６０及びサブタンク６８は、アンダーケース７内又は洋風便器１のスカート部１ａ内に配置されている。
【００４４】
次に、このように構成された便器洗浄装置の作動内容について、以下に説明する。
【００４５】
［非使用時（第３図）］
リム給水弁２２，ジェット給水弁２３及び第１弁３０，第２弁４０は閉弁されている。主タンク６０及びサブタンク６８内は貯水されておらず、主タンク６０内は、後述の通り、ほぼ配管２４の流動圧もしくはエアーの初期加圧値となっている。なお、第１弁３０，第２弁４０の弁体３４，４４は、バネ３８，４８の付勢力と、水道水圧とによって弁座３３，４３に押し付けられ、閉弁状態となっている。
【００４６】
［主タンク６０及びサブタンク６８内への蓄水（第４図）］
フラッシュスイッチが操作されると、制御手段が第２弁４０のソレノイド４５を励磁し、弁体４４を後退させて第２弁４０を開弁させる。これにより、止水栓１０、給水ホース１１，分岐管２５，第２弁４０，エゼクタ７０及び配管５２を介して水道水が静水圧にて主タンク６０内に流入し、貯水される（第７図の工程ａ）。この際、エゼクタ７０の吸引部７１からエアーが吸引され、このエアーも主タンク６０内に流入する。
【００４７】
その後、第１弁３０も開弁し、水道水がさらに第１弁３０及び配管５１を介しても主タンク６０に流入し、その後にはサブタンク６８にも流入する（第７図の工程ｂ）。工程ａは通常は１〜５秒、工程ｂは１〜５秒程度である。
【００４８】
この主タンク６０及びサブタンク６８内への水の流入に伴って、サブタンク６８内のエアー圧が上昇する。
【００４９】
この便器洗浄装置にあっては、配管５０、第２弁４０及び配管５２等を介してエゼクタ７０に水道水が通水されるので、エゼクタ７０を通過する流量が少ない。そのため、第２弁４０、エゼクタ７０及び配管５０，５２を通過することによる水道水の水圧低下が少なく、主タンク６０内に十分に高い水圧で水道水を流入させることができる。
【００５０】
なお、主タンク６０に水が流入すると、浮子６２がその浮力によって上昇し、弁シート部６３から離座する。
【００５１】
［便器洗浄（第５図、第６図）］
１．鉢洗浄（工程ｃ，ｄ，ｅ）
上記工程ｂの末期において、第１弁３０及び第２弁４０がまだ開弁している状態にあるときに、制御手段がリム給水弁２２を開弁させる。これは、第１弁３０及び第２弁４０が急速に閉弁することによるウォーターハンマ（ＷＨ）を防止するためである。リム給水弁２２が開弁してから極く短時間（例えば０．１〜０．３秒）の工程ｃが経過した後に、第１弁３０及び第２弁４０を閉弁させる。これにより、ホース１１からの水のみが、リムノズル４を介してリム３へ給水され、鉢部２の内面が洗浄される（工程ｄ）。
【００５２】
この工程ｄの間は、上記の通り、ホース１１からの水道水のみがリムノズル４へ供給される。なお、前記工程ｃでは、主タンク６０内の水の一部もリムへ放出される。
【００５３】
所定時間経過後、制御手段がリム給水弁２２を閉弁し、鉢洗浄が停止される。なお、この実施の形態では、鉢洗浄の終了よりも短時間（例えば０．５〜１．５秒）だけ先行して第１弁３０を開弁させ、主タンク６０内の水を急速にリムへ供給し、鉢内の水位を高める（増水工程ｅ）。
【００５４】
２．再度の蓄圧工程（工程ｆ）
工程ｃ，ｅでの放水により低下したタンク６０，６８内の水圧を回復させるために、鉢洗浄終了後、所定時間（例えば２〜３秒）第１弁３０を開弁させたままとして、水道水を主タンク６０へ供給する。
【００５５】
３．ジェット起動（工程ｇ）
次いで、制御手段がジェット給水弁２３を開弁する。これにより、タンク６０，６８内の蓄圧水と給水ホース１１からの水とがジェットノズル５を介してトラップ部に噴出する。これにより、トラップ部にサイホンが迅速かつ強力に発生し、便鉢２から汚水が排出される（工程ｇ）。なお、タンク６０，６８内の蓄圧水は、エゼクタ７０を経由せず、配管５１，２５から直接的に配管２４へ供給されるので、この供給水圧は十分に高いものとなる。
【００５６】
このジェット洗浄工程の後半になると、タンク６０，６８内の水の大部分が放出終了する。そして、浮子６２がシート部６３に着座する。このときの主タンク６０及びサブタンク６８内の残圧は、このときの配管２４内の流動圧と等しい。この流動圧と等しい圧が次回の便器洗浄開始までタンク６０，６８内に残ることになる。
【００５７】
４．ジェット停止、溜水面の形成
やがて、制御手段からの信号によってジェット給水弁２３及び第１弁３０が閉弁する。これによってジェット水噴出が停止し、鉢部２内の汚水が排出され、サイホンがブレークする。そこで、制御手段がリム給水弁２２を所定の時間（例えば５〜１０秒）だけ開弁させ、鉢部２内に所定量の水を供給し、溜水面を形成する（覆水工程ｈ）。
【００５８】
鉢部２内に十分な溜水面が形成された後、制御手段がリム給水弁２２を閉弁させ、洗浄が終了し、待機状態となる。
【００５９】
なお、この待機状態では、タンク６０，６８内の圧力が低いので、タンク６０，６８の耐圧要求特性が緩和される。
【００６０】
［別の態様］
上記実施の形態では、鉢洗浄工程の末期に増水工程ｅを実行しているが、この増水工程ｅを省略し、工程ｄから直ちに再蓄圧工程ｆに移行してもよい。このようにすると、タンク６０，６８への水補充量が少なくて済むので、再蓄圧工程ｆ時間が短くて足りる。そのため、鉢洗浄工程で鉢内に生じた旋回流が十分に残っているうちにジェット排出が開始することになり、ジェット排水効率が向上する。
【図面の簡単な説明】
【００６１】
【図１】第１の実施の形態に係る便器洗浄装置の斜視図である。
【図２】第１図の洋風便器の斜視図である。
【図３】第１図の便器洗浄装置のフロー図である。
【図４】第１図の便器洗浄装置のフロー図である。
【図５】第１図の便器洗浄装置のフロー図である。
【図６】第１図の便器洗浄装置のフロー図である。
【図７】第１図の便器洗浄装置のタイミングチャートである。
【符号の説明】
【００６２】
１  洋風便器
２  鉢部
３  リム
４  リムノズル
５  ジェットノズル
１１  給水ホース
２２  リム給水弁
２３  ジェット給水弁
３０  第１弁
４０  第２弁
３１，４１  水室
３４，４４  弁体
３５，４５  ソレノイド
３８，４８  バネ
６０  主タンク
６２  浮子
６３  弁座
６８  サブタンク
７０  エゼクタ
７１  吸引部
【図１】
2008156937.tif 000003
【図２】
2008156937.tif 000004
【図３】
2008156937.tif 000005
【図４】
2008156937.tif 000006
【図５】
2008156937.tif 000007
【図６】
2008156937.tif 000008
【図７】
2008156937.tif 000009